(57)【要約】【課題】専用のチーフホルダーを入手することなく利用可能なチーフホルダー兼用パッケージ箱を提供する。【解決手段】チーフホルダー兼用パッケージ箱は、正面部１１、背面部、対向する一対の天面部１４、及び、対向する一対の側面部１３を有し、内部空洞で所定の物品が内包される直方体状の箱である。正面部１１は内部にある物品を視認可能なように透明な部材を有し、天面部１４は開閉可能、且つ、切り取り可能であり、側面部１３は奇数本の折り曲げ線１３ａを有する。天面部１４が切り取られて形成される開口からポケットチーフが挿入され、折り曲げ線１３ａによって正面部１１と背面部とが近接するように側面部１３が折り畳まれることによって、ポケットチーフが正面部１１と背面部とで狭持される。【選択図】図１
0003233883.tif 000002
【実用新案登録請求の範囲】
【請求項１】
正面部、背面部、対向する一対の天面部、及び、対向する一対の側面部を有し、内部空洞で所定の物品が内包される直方体状の箱であり、
前記正面部は内部にある前記物品を視認可能なように透明な部材を有し、
前記天面部は開閉可能、且つ、切り取り可能であり、
前記側面部は奇数本の折り曲げ線を有し、
前記天面部が切り取られて形成される開口からポケットチーフが挿入され、前記折り曲げ線によって前記正面部と前記背面部とが近接するように前記側面部が折り畳まれることによって、前記ポケットチーフが前記正面部と前記背面部とで狭持される、
ことを特徴とするチーフホルダー兼用パッケージ箱。
【請求項２】
前記側面部が折り畳まれた状態を保持する固定部材を備える、
ことを特徴とする請求項１に記載のチーフホルダー兼用パッケージ箱。
【請求項３】
前記側面部又は前記背面部の一部に固定フラップを有し、
前記固定部材によって前記固定フラップと前記正面部又は前記背面部とが固定可能である、
ことを特徴とする請求項２に記載のチーフホルダー兼用パッケージ箱。
【考案の詳細な説明】
【技術分野】
【０００１】
本考案は、チーフホルダー兼用パッケージ箱に関する。
【背景技術】
【０００２】
日常的にお洒落な小物としてポケットチーフが利用されている。ポケットチーフは布地が柔軟であるために、衣服の胸ポケットに体裁よく挿入することが困難である。
【０００３】
このような状況を鑑みて、ポケットチーフを体裁よく胸ポケットに挿入することが可能な種々のチーフホルダーが提案されている（例えば、特許文献１−４）。
【先行技術文献】
【特許文献】
【０００４】
【特許文献１】登録実用新案第３１７９２６５号公報
【特許文献２】登録実用新案第３１５３８７７号公報
【特許文献３】実開平５−６２５０９号公報
【特許文献４】実開平４−１１０７０４号公報
【考案の概要】
【考案が解決しようとする課題】
【０００５】
特許文献１−４は、いずれも専用のチーフホルダーであるため、使用しようとする者は専用のチーフホルダーを入手する必要がある。
【０００６】
本考案は上記事項に鑑みてなされたものであり、その目的は、専用のチーフホルダーを入手することなく利用可能なチーフホルダー兼用パッケージ箱を提供することにある。
【課題を解決するための手段】
【０００７】
本考案に係るチーフホルダー兼用パッケージ箱は、
正面部、背面部、対向する一対の天面部、及び、対向する一対の側面部を有し、内部空洞で所定の物品が内包される直方体状の箱であり、
前記正面部は内部にある前記物品を視認可能なように透明な部材を有し、
前記天面部は開閉可能、且つ、切り取り可能であり、
前記側面部は奇数本の折り曲げ線を有し、
前記天面部が切り取られて形成される開口からポケットチーフが挿入され、前記折り曲げ線によって前記正面部と前記背面部とが近接するように前記側面部が折り畳まれることによって、前記ポケットチーフが前記正面部と前記背面部とで狭持される、
ことを特徴とする。
【０００８】
また、前記側面部が折り畳まれた状態を保持する固定部材を備えることが好ましい。
【０００９】
また、前記側面部又は前記背面部の一部に固定フラップを有し、
前記固定部材によって前記固定フラップと前記正面部又は前記背面部とが固定可能であってもよい。
【考案の効果】
【００１０】
本考案によれば、専用のチーフホルダーを入手することなく利用可能なチーフホルダー兼用パッケージ箱を提供できる。
【図面の簡単な説明】
【００１１】
【図１】チーフホルダー兼用パッケージ箱の斜視図である。
【図２】図２（Ａ）は正面部材の展開図、図２（Ｂ）は背面部材の展開図である。
【図３】チーフホルダー兼用パッケージ箱の分解図である。
【図４】図４（Ａ）、（Ｂ）はチーフホルダー兼用パッケージ箱の使用状態を説明する斜視図である。
【図５】ポケットチーフを保持したチーフホルダー兼用パッケージ箱を上着の胸ポケットに挿入した状態を示す図である。
【図６】他の形態に係るチーフホルダー兼用パッケージ箱の斜視図（図６（Ａ））、及び、側面部を折り畳んだ状態を説明する図（図６（Ｂ））である。
【図７】他の形態に係るチーフホルダー兼用パッケージ箱の斜視図である。
【図８】他の形態に係るチーフホルダー兼用パッケージ箱の斜視図（図８（Ａ））、及び、側面部を折り畳んだ状態を説明する図（図８（Ｂ））である。
【図９】他の形態に係るチーフホルダー兼用パッケージ箱の斜視図である。
【考案を実施するための形態】
【００１２】
本実施の形態に係るチーフホルダー兼用パッケージ箱は、ネクタイや蝶ネクタイ、ポケットチーフ、コサージュなどの種々の物品、主に進物用小物が内包されるパッケージ箱として、進物用小物等の物品の展示や販売、贈答などの際に利用される。そして、チーフホルダー兼用パッケージ箱は、進物用小物等の物品が取り出された後、チーフホルダーとしても利用することができる。
【００１３】
以下、図を参照しつつ、本実施の形態に係るチーフホルダー兼用パッケージ箱について説明する。チーフホルダー兼用パッケージ箱１は、図１〜図３に示すように、正面部１１、正面部１１に対向する背面部１２、正面部１１及び背面部１２を挟んで対向する一対の側面部１３、正面部１１及び背面部１２を挟んで対向する一対の天面部１４を有する内部空洞の直方体状の箱である。このチーフホルダー兼用パッケージ箱１は、図２の展開図に示すように、正面部材２０及び背面部材３０の２つの部材から形成されている。
【００１４】
正面部材２０は、シート状の部材から構成され、チーフホルダー兼用パッケージ箱１の正面部１１、一対の天面部１４、天面部１４から延伸するフラップ１４ａを有している。正面部材２０は、チーフホルダー兼用パッケージ箱１に内包される商品が視認できるよう、透明な部材から構成されていることが好ましい。例えば、アクリル樹脂、ポリカーボネート樹脂、硬質塩化ビニル樹脂などの透明樹脂が挙げられる。また、天面部１４は、切り取り線１４ｂによって切り取り可能である。
【００１５】
背面部材３０は、シート状の部材から構成され、チーフホルダー兼用パッケージ箱１の背面部１２、一対の側面部１３を有している。背面部材３０の側面部１３は、折り曲げ線１３ａを有する。折り曲げ線１３ａは、直線状であり、正面部１１及び背面部１２の面方向に対して平行に、そして、正面部１１と背面部１２との中間を通るように形成されている。ここでは一本の折り曲げ線１３ａが谷折りとして形成されており、チーフホルダー兼用パッケージ箱１の内方に突出するように側面部１３が折り曲げ可能である。
【００１６】
背面部材３０は、紙等、折り曲げ線１３ａを形成可能で、折り曲げ可能な素材から構成される。進物用小物などのパッケージ箱として美観を付与したい場合では、和紙を貼り合わせたものや紙に布を貼り合わせたものなど、表面の見栄えを向上させるものを用いることが好ましい。
【００１７】
図３に示すように、正面部材２０及び背面部材３０は、それぞれ折り込まれ、背面部材３０の側面部１３が露出するよう、側面部１３の裏側と接着部１１ａの表側とが貼り合わされる。また、天面部１４から延伸するフラップ１４ａが折り込まれるとともに、背面部材３０の内側に差し込まれる。これにより、天面部１４は開閉可能であり、内部空洞の直方体であるチーフホルダー兼用パッケージ箱１が形成される。
【００１８】
続いて、チーフホルダー兼用パッケージ箱１をチーフホルダーとして使用する方法について説明する。中に入っている物品を取り出した後、天面部１４を切り取り線１４ｂに沿って切り取る。そして、図４（Ａ）に示すように、天面部１４が切り取られた開口の一方からポケットチーフを挿入する。ポケットチーフを挿入後、側面部１３の折り曲げ線１３ａに沿って折り曲げ、図４（Ｂ）に示すように、側面部１３を折り畳む。正面部１１と背面部１２とが近接し、正面部１１と背面部１２とでポケットチーフが狭持される。
【００１９】
そして、図５に示すように、ポケットチーフを保持した状態でチーフホルダー兼用パッケージ箱１を上着の胸ポケットに挿入して使用する。このように、チーフホルダー兼用パッケージ箱１を用いることで、柔軟なポケットチーフであっても、体裁よく、容易に胸ポケットに挿入することが可能である。なお、チーフホルダー兼用パッケージ箱１に保持させる対象物としては、ポケットチーフの他にも、生け花や造花など他の装飾品であってもよい。また、少量で縁かがりがない生地に対しても、パフドスタイルで差し込んで使うことができる。
【００２０】
また、チーフホルダー兼用パッケージ箱１は、通常、物品購入後に廃棄されるパッケージ箱を用いるため、専用のチーフホルダーを必要としない。そして、パッケージ箱を廃棄することなく無料で再利用でき経済的であるとともに、廃棄物処理量の低減にも資する。
また、チーフホルダー兼用パッケージ箱１は、簡単にパッケージ箱をチーフホルダーに変形することができ、耐久性もある。また、チーフホルダー兼用パッケージ箱１は、上述した素材から構成されているので、軽量であり、チーフホルダーとして衣服のポケットに挿入しても、ポケットの生地に響かず、また、生地が弛んでしまうこともない。
【００２１】
チーフホルダー兼用パッケージ箱１のサイズについて、高さ（図１に示すＨ）及び幅（図１に示すＷ）は、上着の胸ポケットに収まる程度に設定されることが好ましい。例えば、一般的な上着の胸ポケットの深さは、７０ｍｍ〜１２０ｍｍ程度、幅は６０ｍｍ〜８０ｍｍ程度である。このため、内包される物品等の大きさにもよるが、チーフホルダー兼用パッケージ箱１の高さは７０ｍｍ〜１２０ｍｍ程度、幅は６０ｍｍ〜８０ｍｍ程度であることが好ましい。なお、チーフホルダー兼用パッケージ箱１をチーフホルダーとして使用する際に、胸ポケットからはみ出してしまう場合には、胸ポケットの深さに応じてハサミ等で切断し、胸ポケットからはみ出さない高さに調節して用いることができ、ポケットの形状を選ばずに使用可能である。
【００２２】
また、チーフホルダー兼用パッケージ箱１の奥行（図１に示すＤ）は、内包される物品等に応じて設定される。例えば、図６（Ａ）、（Ｂ）に示すように、奥行が大きいチーフホルダー兼用パッケージ箱２の場合、側面部１３が折り畳みやすいよう、奇数本且つ複数本の折り曲げ線１３ａが形成されていることが好ましい。複数本の折り曲げ線１３ａは、等間隔で、谷折り線と山折り線とが交互に配置される。ここでは、３本の折り曲げ線１３ａが形成されており、真ん中の折り曲げ線１３ａは山折り線、その両隣の折り曲げ線１３ａは谷折り線である。
【００２３】
また、側面部１３が折り畳まれた状態を保持する固定部材を備えていてもよい。例えば、図７に示すチーフホルダー兼用パッケージ箱３では、側面部１３に折り曲げ線１３ａを挟み、固定部材として面ファスナー４０が配置されている。折り曲げ線１３ａによって、側面部１３を折り畳むと、面ファスナー４０同士が向き合い、接触することで接合し、側面部１３が折り畳まれた状態を保持する。
【００２４】
また、側面部１３に固定フラップを備えていてもよい。図８（Ａ）に示すチーフホルダー兼用パッケージ箱４では、側面部１３にコの字状の切り込み線５０が形成されており、切り込み線５０で囲われ、一部が正面部１１につながった部位が固定フラップ５１となる。切り込み線５０で切り出すことにより、固定フラップ５１が形成される。そして、図８（Ｂ）に示すように、側面部１３を折り畳んだ後、固定フラップ５１を背面部１２へ回す。固定フラップ５１の裏面、及び、背面部１２の対応箇所にはそれぞれ固定部材として面ファスナー４０が配置されており、固定フラップ５１と背面部１２とが固定され、側面部１３が折り畳まれた状態を保持する。なお、固定フラップ５１を形成する切り込み線５０は、背面部１２に配置され、背面部１２に形成される固定フラップ５１と正面部１１とを固定する形態であってもよい。このように、固定部材を備える形態では、側面部１３が畳まれた状態で固定できるので、ポケットチーフをしっかり固定できる。
【００２５】
また、図９に示すチーフホルダー兼用パッケージ箱５のように、側面部１３は、正面部１１側に延伸する被せ１３ｂを有していてもよい。進物用小物等のパッケージ箱の場合、より美観を向上させることができる。チーフホルダーとして利用する際は、被せ１３ｅを切断して利用すればよい。
【符号の説明】
【００２６】
１〜５  チーフホルダー兼用パッケージ箱
１１    正面部
１１ａ  接着部
１２    背面部
１３    側面部
１３ａ  折り曲げ線
１３ｂ  被せ
１４    天面部
１４ａ  フラップ
１４ｂ  切り取り線
２０    正面部材
３０    背面部材
４０    面ファスナー
５０    切り込み線
５１    固定フラップ
【図１】
0003233883.tif 000003
【図２】
0003233883.tif 000004
【図３】
0003233883.tif 000005
【図４】
0003233883.tif 000006
【図５】
0003233883.tif 000007
【図６】
0003233883.tif 000008
【図７】
0003233883.tif 000009
【図８】
0003233883.tif 000010
【図９】
0003233883.tif 000011